(57)【要約】【課題】光軸方向に省スペースな絞り機構の構成で、安価な光量調整装置を提供すること。【解決手段】固定地板部材１部品で光学調整部材の走行空間・直進案内部を設けることで、従来構成のカバー部品を廃止し、安価な光量調整装置を実現する。また、レンズ保持枠を固定地板部材と兼用することで、固定地板部材とカバー部品分の省スペース化を図ることが出来る。【選択図】図１
2016166959.tif 000002
【特許請求の範囲】
【請求項１】
光軸に直交した面内で直進移動し、
光量調整する光量調整部材と、
光線を通すための開口部を有する固定部材と、
光量調整部材を移動させるための駆動機構を有し、
光量調整部材には、直線的移動するための直進案内形状を有し、
固定部材は光量調整部材が直進移動する走行空間を有し、
光量調整部材を挿入するために光量調整部材の移動方向の少なくとも１方に配置された開口部と、
光量調整部材の光軸方向の位置を決めるための摺動部が光量調整部材の表裏両側に配置され、直進案内形状と係合し、光量調整部材を直線移動させる直進案内溝と、
光量調整部材を駆動するための駆動手段を固定する取付形状が備えられていることを特徴とする光量調整装置。
【請求項２】
光量調整部材は、光軸に直交した面内で直進移動し、相対的に逆方向に駆動する事で光量調整する２枚の光量調整羽根であることを特徴とする請求項１に記載の光量調整装置。
【請求項３】
２枚の光量調整羽根に設けられた直進案内形状は、互いに反対方向に突出していることを特徴とする請求項２記載の光量調整装置。
【請求項４】
２枚の光量調整羽根に設けられた直進案内形状は、一方の光量調整羽根は固定地板部材の直進案内溝と係合する直進案内ピンを有し、他方の光量調整羽根は直進案内ピンと係合する長穴形状を有することを特徴とする請求項３に記載の光量調整装置。
【請求項５】
光量調整部材の走行空間が固定部材１部品で構成されていることを特徴とする請求項１乃至請求項４の何れか一項に記載の光量調整装置。
【請求項６】
光軸に直交した面内で直進移動し、
光量調整する光量調整部材と、
光量調整部材の光軸方向前後に配置された第１・第２のレンズと、
第１・第２のレンズを一体的に保持する保持枠を有し、
光量調整部材には直線移動するための直進案内形状を有し、
保持枠は光量調整部材が直進移動する走行空間を有し、
光量調整部材を挿入するために光量調整部材の移動方向の少なくとも１方に配置された開口部と、
光量調整部材の光軸方向の位置を決めるための摺動部が光量調整部材の表裏両側に配置され、直進案内形状と係合し、光量調整部材を直線移動させる直進案内溝と、
光量調整部材を駆動するための駆動手段を固定する取付形状が備えられていることを特徴とする光学機器。
【請求項７】
光量調整部材は、光軸に直交した面内で直進移動し、相対的に逆方向に駆動する事で光量調整する２枚の光量調整羽根であることを特徴とする請求項６に記載の光学機器。
【請求項８】
２枚の光量調整羽根に設けられた直進案内形状は、互いに反対方向に突出していることを特徴とする請求項７に記載の光学機器。
【請求項９】
２枚の光量調整羽根に設けられた直進案内形状は、一方の光量調整羽根は固定地板部材の直進案内溝と係合する直進案内ピンを有し、他方の光量調整羽根は直進案内ピンと係合する長穴形状を有することを特徴とする請求項７に記載の光学機器。
【請求項１０】
光量調整部材の走行空間が固定部材１部品で構成されていることを特徴とする請求項６乃至請求項９の何れか一項に記載の光学機器。
【発明の詳細な説明】
【技術分野】
【０００１】
本発明は、レンズ交換が可能な、あるいは、レンズを一体に有する、デジタルスチルカメラやビデオカメラ等の光量調整装置及び光学機器に関する。
【背景技術】
【０００２】
従来、ビデオ・デジタルカメラレンズに用いられる光量調整装置には、光軸上に開口部を設けた地板とカバーの間に光量調整部材が移動自在に挟まれているものがある。
【０００３】
光量調整部材には、例えば、２枚の光量調整羽根を光軸に直交する面内において相対的に逆方向に直進移動し、開口部形状を自在に可変することで光量を調整する所謂絞り羽根や、光量を減衰させる所謂ＮＤフィルタなどがある（特許文献１参照）。
【０００４】
前記光量調整装置は構成が簡素なため、スペース効率がよく、廉価である為、コンシューマ向けの光学機器に搭載される事が多い。
【先行技術文献】
【特許文献】
【０００５】
【特許文献１】特開２００２−３１１３１９号公報
【発明の概要】
【発明が解決しようとする課題】
【０００６】
しかしながら、光量調整装置の構成が、固定地板部材・カバー・光量調整部材・駆動機構と簡素なため、コストダウンを行なうことも難しい。
【０００７】
また、光量調整装置の光軸方向の厚みは、固定地板部材・カバー・光量調整部材の走行空間で決まっており、光量調整装置の光軸方向の厚みは光学系の大きさに関わらず一定である。
【０００８】
このため、光量調整装置の厚み分のレンズ間隔を確保する必要があり光学系の小型化の妨げとなる。
【０００９】
そこで、本発明の目的は、光軸に直交した面内を直進スライドする光量調整部材の走行空間を固定地板部品・カバー部品の２部品で決めていた構成を固定地板部品１部品で設けることで安価な光量調整装置及び光学機器を提供することにある。且つ、固定地板部材をレンズ保持枠と兼用することで省スペースな光量調整装置及び光学機器を提供することにある。
【課題を解決するための手段】
【００１０】
上記の目的を達成するために、本発明は、光軸に直交した面内で直進移動し、光量調整する光量調整部材と、光線を通すための開口部を有する固定部材と、光量調整部材を移動させるための駆動機構を有し、光量調整部材には、直線的移動するための直進案内形状を有し、固定部材は光量調整部材が直進移動する走行空間を有し、光量調整部材を挿入するために光量調整部材の移動方向の少なくとも１方に配置された開口部と固定部材には光量調整部材の光軸方向の位置を決めるための摺動部が光量調整部材の表裏両側に配置され、直進案内形状と係合し、光量調整部材を直線移動させる直進案内溝と光量調整部材を駆動するための駆動手段を固定する取付形状が備えられていることを特徴とする。
【発明の効果】
【００１１】
本発明の光量調整装置によれば、固定部材である地板により光量調整部材の走行空間を構成するため、従来のカバー部品を廃止することで、コストダウンを行なうこと出来る。また、レンズ保持枠などの固定部品と絞り地板を兼用することにより、従来よりも光軸方向のスリム化を図ることが出来る。更に、絞り羽根の一方を他方の絞り羽根の直進案内ピンと係合する長穴形状とすることで、２枚各々に配置されていた絞り羽根の直進案内ピンを配置することが出来、更なる小型化を図ることが出来る。
【図面の簡単な説明】
【００１２】
【図１】本発明の光量調整装置及び光学機器の構成を説明する分解斜視図
【図２】本発明の光量調整装置及び光学機器の構成を説明する断面図
【図３】本発明の固定地板部材の光量調整部材の挿入開口を説明する底面図
【図４】本発明の実施例１の光量調整部材の形状を説明する正面図
【図５】本発明の実施例１の光量調整部材と固定地板部材の配置を説明する底面図
【図６】本発明の実施例２の光量調整部材の形状を説明する正面図
【図７】本発明の実施例２の光量調整部材と固定地板部材の配置を説明する底面図
【発明を実施するための形態】
【００１３】
以下に、本発明の実施の形態を添付の図面に基づいて詳細に説明する。
【００１４】
図１は本発明の実施形態にかかわる光量調整装置及び光学機器の構成を説明する分解斜視図である。図２は本発明の光学機器の構成を示す断面図である。
【００１５】
図１・図２には、本発明の実施例であるビデオカメラ（光学機器）のレンズ鏡筒部の構成を示している。なお、本実施例では、ビデオカメラのレンズ鏡筒部について説明するが、本発明は、デジタルスチルカメラのレンズ鏡筒部や交換レンズ等のビデオカメラ以外の光学機器にも適用することができる。
【００１６】
前群光学系Ｌ１、後群光学系Ｌ２が保持枠１（固定地板部材）により位置決め保持されている。
【００１７】
２・３は光軸に直交した面内で直進移動し、相対的に逆方向に駆動する事で光量調整する所謂、２枚ギロチン絞り羽根Ａ・Ｂ（光量調整部材）であり、保持枠１の前群光学系Ｌ１と光群光学系Ｌ２の間に設けられた空間１ａ内で移動可能に配置されている。
【実施例１】
【００１８】
次に、図３、図４、図５を参照して、本発明の実施例１による光量調整装置及び光学機器について説明する。
【００１９】
保持枠１には絞り羽根Ａ２・Ｂ３を挿入するための開口部１ａが絞り羽根Ａ２・Ｂ３のストローク方向に設けられている。
【００２０】
５は駆動源４の出力軸に連結される羽根駆動レバーであり、絞り羽根２には、保持枠１の直進案内溝１ｂに係合する直進案内ピン２ａ、２ｂが撮像素子側に向かって突出するように形成され、駆動レバー５の駆動ピン（不図示）に係合する長穴２ｃが形成されている。
【００２１】
また、絞り羽根３には、保持枠１の直進案内溝１ｃに係合する直進案内ピン３ａ、３ｂが物体側に向かって突出するように形成され、駆動レバー５の駆動ピン（不図示）に係合する長穴３ｃが形成されている。
【００２２】
保持枠１には、開口部が円形状の固定絞り１ｆ・１ｇと、絞り羽根２をガイドする直進案内溝１ｂと絞り羽根３をガイドする直進案内溝１ｃが形成されている。
【００２３】
駆動源４で回動を駆動レバー５により、駆動レバー５に連結された、絞り羽根Ａ２、絞り羽根Ｂ３に伝達させ、それぞれが係合する直進案内溝１ｂ、１ｃのガイドにより、絞り羽根２、３は相対的に逆方向に直進移動する。
【００２４】
更に保持枠１には、絞り羽根２の摺動レール１ｄ及び絞り羽根３の摺動レール３の摺動レール１ｅが設けられており、各絞り羽根は各摺動レールの間にて、移動可能に保持されている。
【００２５】
本実施例の構成とすることで、固定地板部材である保持枠１で光量調整部材（絞り羽根Ａ・Ｂ）の走行空間１ａを設けることで、従来のカバー部材を廃止することが可能となり、コストダウンを図ることが出来る。
【００２６】
また、本発明の構成のように、保持枠１と固定地板部材を兼用することにより、光軸方向の光量調整装置のスリム化を図り、且つ固定地板部材分のコストダウンを行なうことが可能となる。
【実施例２】
【００２７】
以下、図６、図７を参照して、本発明の実施例２による光量調整装置及び光学機器について説明する。
【００２８】
実施例１の構成において、絞り羽根Ａ２、Ｂ３の直進案内ピンが互いに光軸方向逆向きに突出し、各々の直進案内ピン２ａ、２ｂ、３ａ、３ｂと係合する直進案内溝１ｂ、１ｃを設ける必要がある。
【００２９】
実施例１からの更なる小型化のために、絞り羽根Ａ２に絞り羽根Ｂ３に設けらている、直進案内ピン３ａ、３ｂと係合する長穴形状２ｄを設け、直進案内ピン３ａ、３ｂは更に保持枠に設けられた直進案内溝１ｂと係合させる。
【００３０】
それぞれが係合する直進案内溝１ｂ、長穴３ｄのガイドにより、絞り羽根２、３は相対的に逆方向に直進移動する。
【００３１】
この構成により、絞り羽根Ａ２の直進案内ピン２ａ、２ｂと保持枠１の直進案内溝１ｃを廃止することが出来るため、更なる小型化を図ることが出来る。
【００３２】
以上、本発明の好ましい実施例について説明したが、本発明はこれらの実施例に限定されないことはいうまでもなく、その要旨の範囲内で種々の変形及び変更が可能である。
【００３３】
本発明はビデオカメラ・デジタルスチルカメラ等の光学機器に用いる撮影用ズームレンズ鏡筒に関するものである。
【符号の説明】
【００３４】
１  保持枠（固定地板部材）、２  絞り羽根Ａ（光量調整部材）、
３  絞り羽根Ｂ（光量調整部材）、４  駆動源、５  羽根駆動レバー
【図１】
2016166959.tif 000003
【図２】
2016166959.tif 000004
【図３】
2016166959.tif 000005
【図４】
2016166959.tif 000006
【図５】
2016166959.tif 000007
【図６】
2016166959.tif 000008
【図７】
2016166959.tif 000009